(57)【特許請求の範囲】
【請求項１】
鍵情報が記録されたリードイン部と、上記鍵情報により暗号化が施されたメインデータおよび時間データが記録されたエリア部とを有する光ディスクを再生するディスク再生装置において、
光ディスクのリードイン部およびエリア部から情報を読み出す再生手段と、
上記再生手段により上記リードイン部から読み出された情報に基づき、上記光ディスクの鍵情報を検出するディスクキー検出手段と、
上記ディスクキー検出手段により鍵情報が検出された場合には、上記再生手段により上記エリア部から読み出されたメインデータと時間データに対して上記鍵情報を用いて暗号化を解読する解読手段と、
上記解読手段にて解読された時間データが連続しているか否かを判別する正当性判別手段と、
上記正当性判別手段にて時間データが連続していると判別された場合には、上記解読手段で解読されたメインデータを出力し、上記正当性判別手段にて時間データが連続していないと判別された場合には、上記解読手段で解読されたメインデータの出力を禁止する制御手段と
を備えることを特徴とするディスク再生装置。
【請求項２】
上記リードイン部に刻まれているエンボスピットの一部の形状を変形させ、形状変化部分に変調を施して鍵情報が埋めこまれていることを特徴とする請求項１記載のディスク再生装置。
【請求項３】
上記メインデータはオーディオデータで上記制御手段は上記解読手段で解読されたメインデータに対してミュート処理を施すことを特徴とする請求項１記載のディスク再生装置。
【請求項４】
鍵情報が記録されたリードイン部と、上記鍵情報により暗号化が施されたメインデータおよび時間データが記録されたエリア部とを有する光ディスクを再生する再生方法において、
光ディスクのリードイン部から情報を読み出す再生のステップと、
上記再生のステップにて上記リードイン部から読み出された情報に基づき、上記光ディスクの鍵情報を検出する検出のステップと、
上記検出のステップにて鍵情報が検出された場合には、上記エリア部からメインデータおよび時間データを読み出し、読み出された上記メインデータと時間データに対して上記鍵情報を用いて暗号化を解読する解読のステップと、
上記解読のステップにて解読された時間データが連続しているか否かを判別する判別のステップと、
上記判別のステップにて時間データが連続していると判別された場合には、上記解読のステップで解読されたメインデータを出力し、上記判別のステップにて時間データが連続していないと判別された場合には、上記解読のステップで解読されたメインデータの出力を禁止する抑制のステップと
を備えることを特徴とする再生方法。
【発明の詳細な説明】
【０００１】
【発明の属する技術分野】
この発明は、再生装置および再生方法、並びにディスク再生装置に関し、特に、エンクリプションが施されているデータを記録した記録媒体を再生する再生装置および再生方法、並びにディスク再生装置に関する。
【０００２】
【従来の技術】
近年、ディジタル著作物の利用拡大に伴って、不正コピーによる海賊版ディスクが大きな問題になってきている。そのため、不正コピーを防止する様々な著作権保護システムが提案されている。例えば、スーパーオーディオＣＤでは、次に示すような著作権保護システムが提案されている。
【０００３】
すなわち、ディスク制作側において、鍵情報（以下、ディスクキー）によりエンクリプションしたデータを光ディスクに記録するとともに、エンクリプションに用いたディスクキーを光ディスクに埋め込む。そして、ディスク再生装置側において、光ディスクに埋め込まれたディスクキーを検出し、この検出したディスクキーを用いて、光ディスクより再生したデータをデクリプトする。
【０００４】
図１２は、従来のディスク再生装置の構成を示す。このディスク再生装置は、図１２に示すように、ＲＦプロセッサ２０１、データ復調部２０２、ディスクキー検出部２０３、データデクリプト部２０４、データ処理部２０５、Ｄ／Ａ部２０６およびシステムコントローラ２０７から構成される。
【０００５】
ＲＦ（Radio Frequency）プロセッサ２０１は、図示を省略した光ピックアップにより光ディスクから読み出された信号にゲイン調整などの処理を施し、データ復調部２０２とディスクキー検出部２０３とに供給する。
【０００６】
データ復調部２０２は、ＲＦプロセッサ２０１から供給されたデータを、復調し、データデクリプト部２０４に供給する。
【０００７】
ディスクキー検出部２０３は、ＲＦプロセッサ１から供給されたデータに基づき、光ディスクに埋め込まれているディスクキーを検出する。ディスクキーが検出された場合には、データデクリプト部２０４に、ディスクキーを供給する。
【０００８】
データデクリプト部２０４は、ディスクキー検出部２０３から供給されるディスクキーに基づき、データ復調部２０２から供給されるデータをデクリプトし、データ処理部２０５に供給する。
【０００９】
データ処理部２０５は、データデクリプト部２０４からオーディオブロック部のデータが供給された場合には、オーディオブロック部を構成する各セクタを、ヘッダ部と、パケット部とに分け、ヘッダ部をシステムコントローラ２０７に供給し、パケット部をＤ／Ａ部２０６に供給する。また、データ処理部２０５は、データデクリプト部２０４からＴＯＣ（Table of Contents）部のデータが供給された場合には、このＴＯＣ部のデータをシステムコントローラ２０７に供給する。
【００１０】
Ｄ／Ａ部２０６は、データ処理部５から供給されるオーディオデータをＤ／Ａ変換し、外部機器などに出力する。
【００１１】
システムコントローラ２０７は、データ処理部２０５から供給されるヘッダ部およびＴＯＣ部のデータに基づき、ミュージックナンバー、演奏時間などを表示する。
【００１２】
図１３は、従来のディスク再生装置の再生処理を説明するためのフローチャートである。まず、ステップ１０１において、ディスクキー検出部２０３が、ＲＦプロセッサ２０１を介して、図示を省略した光ピックアップからディスクキー検出部２０３に供給されるデータに基づき、ディスク再生装置に装填された光ディスクのディスクキーを検出する。
【００１３】
ステップ１０１においてディスクキーが検出できた場合には、ステップ１０２において、データデクリプト部２０４が、ディスクキー検出部３で検出されたディスクキーに基づき、データ復調部２０２から供給されるデータをデクリプトし、データ処理部２０５に供給する。
【００１４】
一方、ステップ１０１においてディスクキーが検出できなかった場合は、ステップ１０３において、ディスク再生装置に装填された光ディスクが正当なものでないことをユーザに知らせるエラーメッセージが表示される。
【００１５】
【発明が解決しようとする課題】
ところが、従来のディスク再生装置においては、検出したディスクキーが、データのエンクリプションに用いたディスクキーと一致しているか否かの確認はされていなかった。このため、従来のディスク再生装置では、データデクリプト部２０４において、データのエンクリプションに用いたディスクキーと異なるキーにより、記録データがデクリプトされた場合には、表示管で表示される時間は妥当性のないものとなり、外部機器へのオーディオ出力は、不本意なノイズ出力となってしまう。
【００１６】
また、ディスクキー検出部２０３が、ディスクキーの有無判断を誤り、データデクリプト部２０４が、誤ったキーによりデータをデクリプションしてしまった場合にも、表示管で表示される時間は妥当性のないものとなり、外部機器へのオーディオ出力は、不本意なノイズ出力となってしまう。
【００１７】
さらに、データデクリプト部２０４が、データのデクリプト処理を誤った場合にも、表示管で表示される時間は妥当性のないものとなり、外部機器へのオーディオ出力は、不本意なノイズ出力となってしまう。
【００１８】
したがって、この発明の第１の目的は、検出したディスクキーが、データのエンクリプションに用いたディスクキーと一致しているか否かを確認し、ディスクキーが正当なものではないことが確認された場合には、オーディオデータの外部出力を抑制することができる再生装置および再生方法、並びにディスク再生装置を提供することにある。
【００１９】
また、この発明の第２の目的は、ディスクキーの有無判断に誤りがあった場合に、オーディオデータの外部出力を抑制することができる再生装置および再生方法、並びにディスク再生装置を提供することにある。
【００２０】
また、この発明の第３の目的は、データが誤ってデクリプトされた場合に、外部機器へのオーディオデータの外部出力を抑制することができる再生装置および再生方法、並びにディスク再生装置を提供することにある。
【００２１】
【課題を解決するための手段】
上述した課題を解決するために、請求項１の発明は、鍵情報が記録されたリードイン部と、鍵情報により暗号化が施されたメインデータおよび時間データが記録されたエリア部とを有する光ディスクを再生するディスク再生装置において、
光ディスクのリードイン部およびエリア部から情報を読み出す再生手段と、
再生手段によりリードイン部から読み出された情報に基づき、光ディスクの鍵情報を検出するディスクキー検出手段と、
ディスクキー検出手段により鍵情報が検出された場合には、再生手段によりエリア部から読み出されたメインデータと時間データに対して鍵情報を用いて暗号化を解読する解読手段と、
解読手段にて解読された時間データが連続しているか否かを判別する正当性判別手段と、
正当性判別手段にて時間データが連続していると判別された場合には、解読手段で解読されたメインデータを出力し、正当性判別手段にて時間データが連続していないと判別された場合には、解読手段で解読されたメインデータの出力を禁止する制御手段と
を備えることを特徴とするディスク再生装置である。
【００２２】
請求項４記載の発明は、鍵情報が記録されたリードイン部と、鍵情報により暗号化が施されたメインデータおよび時間データが記録されたエリア部とを有する光ディスクを再生する再生方法において、
光ディスクのリードイン部から情報を読み出す再生のステップと、
再生のステップにてリードイン部から読み出された情報に基づき、光ディスクの鍵情報を検出する検出のステップと、
検出のステップにて鍵情報が検出された場合には、エリア部からメインデータおよび時間データを読み出し、読み出されたメインデータと時間データに対して鍵情報を用いて暗号化を解読する解読のステップと、
解読のステップにて解読された時間データが連続しているか否かを判別する判別のステップと、
判別のステップにて時間データが連続していると判別された場合には、解読のステップで解読されたメインデータを出力し、判別のステップにて時間データが連続していないと判別された場合には、解読のステップで解読されたメインデータの出力を禁止する抑制のステップと
を備えることを特徴とする再生方法である。
【００２５】
この発明では、メインデータの暗号化に用いた鍵情報と異なる鍵情報により、メインデータが解読された場合にも、ディスク再生装置から外部機器に不本意なデータを出力することを防止することができる。また、鍵情報の有無が誤って判断された場合にも、ディスク再生装置から外部機器に不本意なデータを出力することを防止することができる。さらに、解読手段がメインデータを誤って解読した場合にも、ディスク再生装置から外部機器に不本意なデータを出力することを防止することができる。
【００２６】
【発明の実施の形態】
以下、この発明の第１の実施形態について図面を参照しながら説明する。まず、この発明の第１の実施形態によるディスク再生装置に装填される光ディスクについて説明する。なお、この発明の第１の実施形態においては、光ディスクは、スーパーオーディオＣＤディスクである。
【００２７】
図１Ａは、スーパーオーディオＣＤディスクの記録フォーマットを示す。図１Ａに示すように、スーパーオーディオＣＤディスクの記録データは、リードイン部、２チャンネルオーディオエリア部、マルチチャンネルオーディオエリア部およびＥｘｔｒａ部から構成され、リードイン部を除く領域、すなわち、２チャンネルオーディオエリア部、マルチチャンネルオーディオエリア部およびＥｘｔｒａ部には、ウオーターマークのエンクリプションが施されている。
【００２８】
なお、この発明の第１の実施形態では、スーパーオーディオＣＤディスクの記録データが、２チャンネルオーディオエリア部およびマルチチャンネルオーディオエリア部の両方を有する例について示すが、これらのエリア部のどちらか一方を有するようにしてもよい。
【００２９】
リードイン部は、最内周側のエリアであり、このリードイン部には、ピット形状を変形することにより、ディスクキーが記録されている。なお、このディスクキーは、ディスク制作側が、２チャンネルオーディオエリア部、マルチチャンネルオーディオエリア部およびＥｘｔｒａ部に記録するオーディオデータをエンクリプションする際に用いたものである。
【００３０】
図２は、リードイン部におけるピット形状を説明するためのものである。周期７Ｔ（周期Ｔ：チャンネルクロックの１クロック周期）以上の長さのピットは、矢印ａにより示すように、ピットの先行側エッジにより所定距離Ｌ（周期３Ｔに相当する距離）だけ離間して、ディスクキーのデータに応じて局所的にピットの幅が低減するように形成され、このピット幅によりディスクキーが記録されている。
【００３１】
なお、この発明の第１の実施形態においては、周期７Ｔ以上の長さのピットについて、ピット幅を変調してディスクキーを記録するが、再生信号のジッタに対して再生系が充分な余裕を有している場合などにあっては、周期６Ｔ以上のピットについてピット幅を変調するようにしてもかまわない。
【００３２】
図１ＡのマスターＴＯＣ部には、２チャンネルオーディオ部・マルチチャンネルオーディオ部の有無や各オーディオ部の開始ポイントなどの情報が記録されている。
【００３３】
２チャンネルオーディオエリア部は、図Ｂに示すように、エリアＴＯＣ部１、エリアＴＯＣ部２およびオーディオブロック部から構成される。エリアＴＯＣ部１とエリアＴＯＣ部２には同一の情報が記録されている。エリアＴＯＣ部には、オーディオブロック部に記録されている曲のスタートポイントなどの情報が記録されている。
【００３４】
オーディオブロック部は、セクタから構成される。そして、オーディオブロック部を構成する各セクタは、図１Ｃに示すように、ヘッダ部およびパケット部から構成される。ヘッダ部は、時間データなどから構成されるフレーム情報を含み、パケット部は、オーディオデータを含む。なお、図１Ｃに示すセクターフォーマットは、デクリプション後のイメージである。
【００３５】
マルチチャンネルオーディオエリア部は、２チャンネルオーディオエリア部と同様の構成を有するので、ここでは説明を省略する。
【００３６】
Ｅｘｔｒａ部には、例えば、ビデオ・クリップ、テキスト情報およびグラフフィックスなどを記録することが可能である。
【００３７】
図３は、この発明の第１の実施形態によるディスク再生装置の構成の一例を示す概略図である。図３に示すように、この発明の第１の実施形態におよるディスク再生装置は、ＲＦプロセッサ１、データ復調部２、ディスクキー検出部３、データデクリプト部４、データ処理部５、Ｄ／Ａ部６およびシステムコントローラ７から構成される。
【００３８】
ＲＦ（Radio Frequency）プロセッサ１は、図示を省略した光ピックアップにより光ディスクから読み出された信号にゲイン調整などの処理を施し、データ復調部２とディスクキー検出部３とに供給する。
【００３９】
データ復調部２は、ＲＦプロセッサ１から供給されたデータを、復調し、データデクリプト部４に供給する。
【００４０】
ディスクキー検出部３は、ＲＦプロセッサ１から供給されたデータに基づき、光ディスクに埋め込まれているディスクキーを検出する。ディスクキーが検出された場合には、データデクリプト部４に、ディスクキーを供給する。
【００４１】
データデクリプト部４は、ディスクキー検出部３から供給されるディスクキーに基づき、データ復調部２から供給されるデータをデクリプトし、データ処理部５に供給する。
【００４２】
データ処理部５は、データデクリプト部４からオーディオブロック部のデータが供給された場合には、オーディオブロック部を構成する各セクタを、ヘッダ部と、パケット部とに分け、ヘッダ部をシステムコントローラ７に供給し、パケット部をＤ／Ａ部６に供給する。また、データ処理部５は、データデクリプト部４からＴＯＣ部のデータが供給された場合には、このＴＯＣ部のデータをシステムコントローラ７に供給する。
【００４３】
Ｄ／Ａ変換部６は、データ処理部５から供給されるオーディオデータをＤ／Ａ変換し、外部機器などに出力する。
【００４４】
システムコントローラ７は、データ処理部５から供給されるヘッダ部およびＴＯＣ部のデータに基づき、曲数を表すミュージックナンバー、演奏時間などを表示する。また、システムコントローラ７は、光ディスクがディスク再生装置に装填された場合には、図示を省略した光ピックアップおよびスピンドルモータを制御し、光ディスクのリードイン部の情報を読み出すとともに、ディスクキー検出部３を制御し、ディスクキーの検出を行う。そして、システムコントローラ７は、ディスクキー検出部３においてディスクキーが検出された場合には、図示を省略した光ピックアップおよびスピンドルモータを制御し、ＴＯＣ部のデータとともに、ＴＯＣ部に続くオーディオブロック部のデータを、例えば、数セクタ読み出す。
【００４５】
また、システムコントローラ７は、正当性判定部８を備え、この正当性判定部８が、データ処理部５から供給されるオーディオブロック部に含まれる時間データの正当性を判断する。例えば、正当性判定部８は、オーディオブロック部含まれる数セクタの時間データの正当性を判断する。なお、この発明の第１の実施形態においては、時間データの正当性の判断は、時間データが連続であるか否かまたは妥当な範囲の値かに基づき行われる。
【００４６】
正当性判定部８は、時間データが正当でないと判断した場合には、ユーザにディスクが正当なものではないことを知らせるエラーメッセージを表示管に表示するとともに、その後の再生処理などを抑制する。
【００４７】
上述したように、正当性判定部８において、時間データの正当性を判断することにより、ディスクキー検出部３において検出されたディスクキーが正当であるか否かを確認することができる。これは、誤ったディスクキーによりデータがデクリプトされた場合には、時間データが妥当な値にデクリプトされないためである。
【００４８】
また、正当性判定部８は、時間データが正当でないと判断した場合には、データ処理部５から出力されたオーディオデータを、データ処理部５およびＤ／Ａ部６間でミュートするようにしてもかまわない。さらに、データ処理部５から出力されたオーディオデータを、データ処理部５においてミュートするようにしてもかまわない。さらにまた、データ処理部５から出力されたオーディオデータを、Ｄ／Ａ部６においてミュートするようにしてもかまわない。また、Ｄ／Ａ部６にアンプ接続されている場合には、Ｄ／Ａ部６およびアンプ間において、あるいはアンプにおいて、データ処理部５から出力されたオーディオデータを、ミュートするようにしてもかまわない。ただし、光出力端子が、データ処理部５およびＤ／Ａ部６間に備えられている場合には、データ処理部５から出力されたオーディオデータを、データ処理部５においてミュートするようにする。
【００４９】
図３は、この発明の第１の実施形態によるディスク再生装置の再生処理を説明するためのフローチャートである。まず、ステップ１において、ディスクキー検出部３が、ＲＦプロセッサ１を介して、図示を省略した光ピックアップからディスクキー検出部３に供給されるデータに基づき、ディスク再生装置に装填された光ディスクのディスクキーの検出を行う。ディスクキーが検出できた場合には、次のステップ２に進み、ディスクキーが検出できなかった場合は、ステップ６に進む。
【００５０】
次に、ステップ２において、システムコントローラ７が、図示を省略した光ピックアップおよびスピンドルモータを制御し、ＴＯＣ部のデータとともに、ＴＯＣ部に続くオーディオブロック部のデータを、例えば数セクタ読み出す。
【００５１】
次に、ステップ３において、データデクリプト部４が、ディスクキー検出部３で検出されたディスクキーに基づき、データ復調部２から供給されるＴＯＣ部のデータとともに、オーディオブロック部のデータを、例えば数セクタのデータをデクリプションし、データ処理部５に供給する。
【００５２】
次に、ステップ４において、正当性判定部８が、データ処理部５より供給された時間データに基づき、時間データが正当なものであるか否かを判断する。
【００５３】
時間データが正当なものである場合には、ステップ５において、データ処理部５から出力された信号は、Ｄ／Ａ部６でＤ／Ａ変換され、外部機器に出力される。
【００５４】
時間データが正当なものでない場合には、ステップ６において、正当性判定部８が、ユーザにディスクが正当なものではないことを知らせるエラーメッセージを表示管に表示するとともに、その後の再生処理などを抑制する。
【００５５】
上述したように、この発明の第１の実施形態によれば、正当性判定部８が、デクリプションされた時間データの正当性を判断し、正当でないと判断した場合には、ディスク再生装置の再生処理などを抑制するため、データのエンクリプションに用いたディスクキーと異なるキーにより、記録データがデクリプトされた場合にも、再生装置から外部機器に不本意なノイズを出力することを防止することができる。また、ディスクキー検出部３がディスクキーの有無判断を誤った場合にも、再生装置から外部機器に不本意なノイズを出力することを防止することができる。したがって、不本意なノイズ出力により再生装置の品位および品質を損なうことがなくなるため、ユーザは安心して再生装置を使用することができる。
【００５６】
また、デクリプションに用いられたディスクキーが、データのエンクリプションに用いられたディスクキーと同一のキーであるか否かの検証を、ディスクキーそのものではなく、エンクリプトされた時間データの正当性に基づき行うことができる。すなわち、再生装置に、ディスクキーの検証を行う複雑かつ大規模なデコード回路を備えるのではなく、ディスク再生装置のシステムコントローラ７に、時間データの正当性を判断するプログラムを備えるだけで、ディスクキーの検証を行うことができるため、ディスクキーの正当性を判断できる再生装置を容易かつ安価に実施可能である。
【００５７】
次に、この発明の第２の実施形態について説明する。上述した第１の実施形態においては、ディスクキーが正当であるか否かを判断する例について示したが、この発明の第２の実施形態においては、デクリプト部においてデクリプションされたデータが正当であるか否かを判断する例について示す。
【００５８】
図５は、この発明の第２の実施形態によるディスク再生装置の構成の一例を示すブロック図である。図５に示すように、この発明の第２の実施形態によるディスク再生装置は、ＲＦプロセッサ１、データ復調部２、ディスクキー検出部３、データデクリプト部４、データ処理部５、Ｄ／Ａ部６およびシステムコントローラ９から構成される。なお、第１の実施形態によるディスク再生装置と共通する部分には同一の符号を付し、詳細な説明を省略する。
【００５９】
ディスク再生装置に装填される光ディスクは、上述した第１の実施形態で示した光ディスクと同様であるので、説明を省略する。
【００６０】
システムコントローラ９は、データ処理部５から供給されるヘッダ部およびＴＯＣ部のデータに基づき、曲数を表すミュージックナンバー、演奏時間などを表示する。また、システムコントローラ９は、光ディスクがディスク再生装置に装填された場合には、図示を省略した光ピックアップおよびスピンドルモータを制御し、光ディスクのリードイン部の情報を読み出すとともに、ディスクキー検出部３を制御し、ディスクキーの検出を行う。ディスクキー検出部３においてディスクキーが検出された場合には、システムコントローラ９は、図示を省略した光ピックアップおよびスピンドルモータを制御し、ＴＯＣ部のデータを読み出す。その後、ユーザにより再生が指示された場合には、システムコントローラ９は、例えばオーディオブロック部のデータを読み出す。
【００６１】
また、システムコントローラ９は、正当性判定部１０を備え、この正当性判定部１０が、データ処理部５から供給されるオーディオブロック部に含まれる時間データの正当性を判断する。例えば、正当性判定部１０は、オーディオブロック部含まれる数セクタの時間データの正当性を判断する。なお、この発明の第２の実施形態においては、時間データの正当性の判断は、時間データが連続であるか否かまたは妥当な範囲の値かに基づき行われる。
【００６２】
正当性判定部１０は、時間データが正当でないと判断した場合には、データ処理部５から出力されたオーディオデータを、データ処理部５およびＤ／Ａ部６間でミュートするとともに、ユーザにデクリプトされたデータが正当ではないことを知らせるエラーメッセージを表示管に表示する。
【００６３】
上述したように、正当性判定部１０において、時間データの正当性を判断することにより、データデクリプト部４においてデクリプトされたデータが正当であるか否かを確認することができる。これは、図１に示したように、時間データとオーディオデータとは、オーディオブロック部の構成要素であり、同一のディスクキーによりエンクリプションされ記録されているため、誤ったディスクキーによりデクリプトされた場合には、時間データと同様にオーディオデータが妥当な値にデクリプトされないためである。
【００６４】
なお、この発明の第２の実施形態においては、データ処理部５から出力されたオーディオデータを、データ処理部５およびＤ／Ａ部６間でミュートする例を示したが、データ処理部５から出力されたオーディオデータを、データ処理部５においてミュートするようにしてもかまわない。また、データ処理部５から出力されたオーディオデータを、Ｄ／Ａ部６においてミュートするようにしてもかまわない。さらに、Ｄ／Ａ部６にアンプ接続されている場合には、Ｄ／Ａ部６およびアンプ間において、あるいはアンプにおいて、データ処理部５から出力されたオーディオデータを、ミュートするようにしてもかまわない。ただし、光出力端子が、データ処理部５およびＤ／Ａ部６間に備えられている場合には、データ処理部５から出力されたオーディオデータを、データ処理部５においてミュートするようにする。
【００６５】
図６は、この発明の第２の実施形態によるディスク再生装置の再生処理を説明するためのフローチャートである。まず、ステップ１１において、ディスクキー検出部３が、ＲＦプロセッサ１を介して、図示を省略した光ピックアップからディスクキー検出部３に供給されるデータに基づき、ディスク再生装置に装填された光ディスクのディスクキーを検出する。ディスクキーが検出できた場合には、次のステップ１２に進み、ディスクキーが検出できなかった場合には、ステップ２０に進む。
【００６６】
次に、ステップ１２において、システムコントローラ９が、図示を省略した光ピックアップおよびスピンドルモータを制御して、ＴＯＣ部のデータを読み出す。
【００６７】
次に、ステップ１３において、データデクリプト部４が、ディスクキー検出部３で検出されたディスクキーに基づき、データ復調部２から供給されるＴＯＣ部のデータをデクリプションし、データ処理部５に供給する。
【００６８】
次に、ステップ１４において、システムコントローラ９が、システムコントローラ９に接続された操作部（図示せず）において、再生指示がなされたか否かを判断する。再生が指示された場合には、次のステップ１５に進む
【００６９】
次に、ステップ１５において、システムコントローラ９が、図示を省略した光ピックアップおよびスピンドルモータを制御して、オーディオブロック部のデータを読み出す。
【００７０】
次に、ステップ１６において、光ピックアップにより読み出されたオーディオブロック部のデータが、データ復調部２において復調され、データデクリプト部４においてデクリプトされ、データ処理部５に供給される。
【００７１】
次に、ステップ１７において、システムコントローラ９が、データ処理部５より供給された時間データに基づき、時間データが正当なものであるか否かを判断する。
【００７２】
時間データが正当なものである場合には、ステップ１８において、データ処理部５から出力されたデータは、Ｄ／Ａ部６においてＤ／Ａ変換され、外部機器に出力される。
【００７３】
時間データが正当なものでない場合には、ステップ１９において、正当性判定部１０が、データ処理部５から出力されたオーディオデータを、データ処理部５およびＤ／Ａ部６間でミュートする。そして、ステップ２０において、デクリプトされたデータが正当でないことをユーザに知らせるエラーメッセージを表示管に表示する。
【００７４】
上述した例では、正当性判定部１０が、オーディオブロック部に含まれる時間データに基づき、ディスクキーが正当であるか否かを判断する場合を示したが、正当性判定部１０が、ステップ１０３において、デクリプトされたＴＯＣ部のデータに基づき、ディスクキーが正当なものであるか否かを判断するようにしてもかまわない。たとえば、正当性判定部１０は、ミュージックナンバーが連続的に増加しているか否かに基づき、ディスクキーが正当なものであるか否かを判断する。
【００７５】
上述したように、この発明の第２の実施形態によれば、正当性判定部１０が、デクリプションされた時間データの正当性を判断し、正当でないと判断した場合には、デクリプションされたオーディオデータの出力を抑制するため、データのエンクリプションに用いたディスクキーと異なるキーにより、記録データがデクリプトされた場合にも、ディスク再生装置から外部機器に不本意なノイズを出力することを防止することができる。また、ディスクキー検出部３がディスクキーの有無判断を誤った場合にも、ディスク再生装置から外部機器に不本意なノイズを出力することを防止することができる。さらに、データデクリプト部４がデータを誤ってデクリプトした場合にも、ディスク再生装置から外部機器に不本意なノイズを出力することを防止することができる。したがって、不本意なノイズ出力によりディスク再生装置の品位および品質を損なうことがなくなるため、ユーザは安心してディスク再生装置を使用することができる。
【００７６】
また、デクリプションに用いられたディスクキーが、データのエンクリプションに用いられたディスクキーと同一のキーであるか否かの検証を、ディスクキーそのものではなく、エンクリプトされた時間データの正当性に基づき行うことができる。すなわち、ディスク再生装置に、ディスクキーの検証を行う複雑かつ大規模なデコード回路を備えるのではなく、ディスク再生装置のシステムコントローラ９に、時間データの正当性を判断するプログラムを備えるだけで、ディスクキーの検証を行うことができるため、ディスクキーの正当性を判断できるディスク再生装置を容易かつ安価に実施可能である。
【００７７】
次に、この発明の第３の実施形態について説明する。上述した第１の実施形態においては、オーディオブロック部から読み出された時間データの連続性に基づき、ディスクキーの正当性を判断する例について示したが、この発明の第３の実施形態では、ディスク上の所定位置から読み取られた時間データが本来その位置に記録されている時間データであるか否かに基づき、ディスクキーの正当性を判断する例について示す。
【００７８】
図７は、この発明の第３の実施形態によるディスク再生装置の構成の一例を示すブロック図である。図７に示すように、この発明の第３の実施形態によるディスク再生装置は、ＲＦプロセッサ１、データ復調部２、ディスクキー検出部３、データデクリプト部４、データ処理部５、Ｄ／Ａ部６、システムコントローラ１１から構成される。なお、第１の実施形態によるディスク再生装置と共通する部分には同一の符号を付し、詳細な説明を省略する。
【００７９】
ディスク再生装置に装填される光ディスクは、上述した第１の実施形態で示した光ディスクと同様であるので、説明を省略する。
【００８０】
システムコントローラ１１は、光ディスクがディスク再生装置に装填されると、リードイン部の情報を読み出すとともに、ディスクキー検出部３を制御し、ディスクキーの検出を行う。そして、ディスクキー検出部３においてディスクキーが検出された場合には、システムコントローラ１１は、図示を省略した光ピックアップおよびスピンドルモータを制御し、ＴＯＣ部データを読み出すとともに、所定位置のデータを読み出す。ここで、所定位置は、例えば、光ディスク上のオーディオブロック部内で予め定められた位置である。
【００８１】
また、システムコントローラは、正当性判定部１２を備え、この正当性判定部１２が、データ処理部５から供給される所定位置の時間データが光ディスク上の所定位置で本来記録されている時間データであるか否かを判断する。なお、ここでは、正当性判定部１２は、ディスク上の所定位置で本来記録されている時間データであるか否かを、１つのセクタに含まれる時間データに基づき判断するが、数セクタの時間データに基づき判断するようにしてもかまわない。
【００８２】
正当性判定部１２は、時間データが正当でないと判断した場合には、ユーザにディスクが正当なものではないことを知らせるエラーメッセージを表示管に表示するとともに、その後の再生処理などを抑制する。
【００８３】
上述したように、正当性判定部１２において、時間データの正当性を判断することにより、ディスクキー検出部３において検出されたディスクキーが正当であるか否かを確認することができる。これは、誤ったディスクキーによりデータがデクリプトされた場合には、時間データが妥当な値にデクリプトされないためである。
【００８４】
また、正当性判定部１２は、時間データが正当でないと判断した場合には、データ処理部５から出力されたオーディオデータを、データ処理部５およびＤ／Ａ部６間でミュートするようにしてもかまわない。さらに、データ処理部５から出力されたオーディオデータを、データ処理部５においてミュートするようにしてもかまわない。さらにまた、データ処理部５から出力されたオーディオデータを、Ｄ／Ａ部６においてミュートするようにしてもかまわない。また、Ｄ／Ａ部６にアンプ接続されている場合には、Ｄ／Ａ部６およびアンプ間において、あるいはアンプにおいて、データ処理部５から出力されたオーディオデータを、ミュートするようにしてもかまわない。ただし、光出力端子が、データ処理部５およびＤ／Ａ部６間に備えられている場合には、データ処理部５から出力されたオーディオデータを、データ処理部５においてミュートするようにする。
【００８５】
図８は、この発明の第３の実施形態によるディスク再生装置の再生処理を説明するためのフローチャートである。まず、ステップ２１において、ディスクキー検出部３が、ＲＦプロセッサ１を介して、図示を省略した光ピックアップからディスクキー検出部３に供給されるデータに基づき、ディスク再生装置に装填された光ディスクのディスクキーを検出する。ディスクキーが検出できた場合には、次のステップ２２に進み、ディスクキーが検出できなかった場合には、ステップ２６に進む。
【００８６】
次に、ステップ２２において、システムコントローラ１１が、図示を省略した光ピックアップおよびスピンドルモータを制御し、ＴＯＣ部のデータを読み出すとともに、所定位置のデータを読み出す。
【００８７】
次に、ステップ２３において、データデクリプト部４が、ディスクキー検出部３で検出されたディスクキーに基づき、データ復調部２から供給されるＴＯＣ部のデータおよび所定位置のデータをデクリプションし、データ処理部５に供給する。
【００８８】
次に、ステップ２４において、正当性判定部１２が、データ処理部５から供給される所定位置の時間データが光ディスク上の所定位置で本来記録されている時間データであるか否かを判断する。
【００８９】
時間データが正当なものである場合には、ステップ２５において、データ処理部５から出力されたデータは、Ｄ／Ａ部６においてＤ／Ａ変換され、外部機器に出力される。
【００９０】
時間データが正当なものでない場合には、ステップ２６において、正当性判定部１２が、ユーザにディスクが正当なものでないことを知らせるエラーメッセージを表示管に表示するとともに、その後の再生処理などを抑制する。
【００９１】
また、正当性判定部１２は、時間データが正当でないと判断した場合には、データ処理部５から出力されたオーディオデータを、データ処理部５およびＤ／Ａ部６間でミュートするようにしてもかまわない。さらに、データ処理部５から出力されたオーディオデータを、データ処理部５においてミュートするようにしてもかまわない。さらにまた、データ処理部５から出力されたオーディオデータを、Ｄ／Ａ部６においてミュートするようにしてもかまわない。また、Ｄ／Ａ部６にアンプ接続されている場合には、Ｄ／Ａ部６およびアンプ間において、あるいはアンプにおいて、データ処理部５から出力されたオーディオデータを、ミュートするようにしてもかまわない。ただし、光出力端子が、データ処理部５およびＤ／Ａ部６間に備えられている場合には、データ処理部５から出力されたオーディオデータを、データ処理部５においてミュートするようにする。
【００９２】
この第３の実施形態によっても、第１の実施形態と同様の利点を得ることができる。
【００９３】
次に、この発明の第４の実施形態について説明する。上述した第１の実施形態においては、スーパーオーディオＣＤディスクを再生するディスク再生装置に、この発明を適用した例について示したが、この発明の第３の実施形態においては、ＤＶＤ（Digital Versatile Disc）videoディスクを再生するディスク再生装置に、この発明を適用した例について示す。
【００９４】
図９は、この発明の第４の実施形態によるコピー防止システム１００の構成の一例を示すブロック図である。図９に示すように、この発明の第４の実施形態によるコピー防止システム１００は、ディスク制作側１１０、光ディスク１２０およびディスク再生装置１３０から構成される。なお、この第４の実施形態においては、光ディスク１２０は、ＤＶＤvideoディスクである。
【００９５】
まず、ディスク制作側１１０について説明する。ディスク制作側１１０は、図９に示すように、マスターキー発生部１１１、ディスクキー発生部１１２、タイトルキー発生部１１３、データ発生器１１４、ＭＰＥＧエンコーダ１１５、エンクリプト部１１６、エンクリプト部１１７およびエンクリプト部１１８から構成される。
【００９６】
マスターキー発生器１１１は、マスターキーを発生する。このマスターキーは、コンテンツのデクリプションを行うディスク再生装置のメーカ毎に選択されるキーである。
【００９７】
ディスクキー発生器１１２は、ディスクキーを発生する。このディスクキーは、著作権管理者により光ディスク毎に自由に選択されるキーである。
【００９８】
タイトルキー発生部１１３は、タイトルキーを発生する。このタイトルキーは、著作権者により光ディスクに格納されたタイトル毎に自由に選択されるキーである。
【００９９】
データ発生器１１４は、光ディスク１２０に記録する主データであるＡＶコンテンツを発生する。ここで、このデータ発生器は、例えばマスターテープなどに記録されたＡＶコンテンツを再生する再生装置である。
【０１００】
ＭＰＥＧエンコーダ１１５は、データ発生器１１４から供給されるＡＶコンテンツを、ＭＰＥＧ２によりエンコードし、エンクリプト部１１８に供給する。
【０１０１】
エンクリプト部１１６は、マスターキーにより、ディスクキーをエンクリプトし、暗号化ディスクキーセットに変換する。この暗号化ディスクキーセットは、光ディスク１２０上のユーザがアクセスできないリードイン領域に格納される。
【０１０２】
エンクリプト部１１７は、ディスクキーによりタイトルキーをエンクリプションする。このエンクリプションされたタイトルキーは、ユーザがアクセスできないセクターヘッダ領域に格納される。
【０１０３】
エンクリプト部１１８は、ＭＰＥＧエンコーダにより圧縮されたＡＶコンテンツを、タイトルキーによりエンクリプションする。
【０１０４】
次に、ディスク再生装置１３０について説明する。ディスク再生装置１３０は、図９に示すように、マスターキー発生部１３１、デクリプト部１３２、デクリプト部１３３、デクリプト部１３４、ＭＰＥＧデコーダ１３５、Ｄ／Ａ部１３６およびシステムコントローラ１３７および表示部１３８を備える。
【０１０５】
マスターキー発生器１３１は、マスターキーを発生する。デクリプト部１３２は、マスターキーにより、光ディスク１２０のリードイン領域から読み出された暗号化ディスクキーセットをデクリプションし、ディスクキーを求め、デクリプト部１３３に供給する。
【０１０６】
デクリプト部１３３は、デクリプト部１３２から供給されるディスクキーにより、光ディスク１２０のセクターヘッダ領域から読み出された暗号化タイトルキーをデクリプションし、タイトルキーを求め、デクリプト部に供給する。
【０１０７】
デクリプト部１３４は、デクリプト部１３３から供給されるタイトルキーにより、暗号化ＡＶデータをデクリプションし、ＭＰＥＧデコーダ１３５に供給する。
【０１０８】
ＭＰＥＧデコーダ１３５は、デクリプト部１３４から供給されるＡＶデータをデコードし、Ｄ／Ａ部１３６に供給する。
【０１０９】
Ｄ／Ａ部１３６は、ＭＰＥＧエンコーダ１３５から供給されるＡＶデータを、Ｄ／Ａ変換し、出力端子を介して、テレビジョン受像機などの表示装置に供給する。
【０１１０】
システムコントローラ１３７は、ＭＰＥＧデコーダ１３５から供給される時間データに基づき、再生時間などを表示する。また、システムコントローラ１３７は正当性判定部１３９を備え、この正当性判定部８が、ＭＰＥＧデコーダ１３５から供給される時間データの正当性を判断する。なお、この発明の第１の実施形態においては、時間データの正当性の判断は、時間データが連続であるか否かに基づき行われる。ここで、ＭＰＥＧエンコーダ１３５からシステムコントローラ１３７に供給される時間データは、例えば、ＰＴＳ(Presentation Time Stamp)、ＤＴＳ（Decoding Time Stamp）などである。
【０１１１】
表示部１３８は、システムコントローラ１３７から供給される信号に基づき、時間情報、エラーメッセージなどの表示を行う。
【０１１２】
図１０は、この発明の第４の実施形態によるディスク再生装置のディスク再生処理を説明するためのフローチャートである。まず、ステップ３１において、デクリプト部１３２が、光ディスク１２０のリードイン領域から読み出された暗号化ディスクキーセットを、ディスク再生装置に内蔵するマスターキーを用いてデクリプトして、ディスクキーを求める。
【０１１３】
次に、ステップ３２において、デクリプト部１３３が、ステップ３１において求められたディスクキーにより、光ディスク１２０のセクターヘッダ領域から読み出された暗号化タイトルキーをデクリプトして、タイトルキーを求める。
【０１１４】
次に、ステップ３３において、デクリプト部１３４が、ステップ３２において求められたタイトルキーにより、光ディスク１２０から読み出された暗号化ＡＶデータをデクリプトし、ＭＰＥＧデコーダ１３５に供給する。
【０１１５】
次に、ステップ３４において、ＭＰＥＧデコーダ１３５が、デクリプト部１３４から供給されたＡＶデータをデコードし、このデコードしたデータに含まれる画像データおよびオーディオデータをＤ／Ａ部１３６に供給するとともに、時間データをシステムコントローラ１３７に供給する。
【０１１６】
次に、ステップ３５において、正当性判定部１３９が、供給された時間データの正当性を判断する。正当であると判断された場合には、ステップ３６において、ＭＰＥＧデコーダ１３５から出力されたＡＶデータは、出力端子を介してテレビジョン受像機などの表示装置に供給される。正当でないと判断された場合には、ステップ３７において、ＭＰＥＧデコーダから出力された出力を、ＭＰＥＧデコーダとＤ／Ａ部との間で、ミュートする。そして、ステップ３８において、表示部１３８にエラーメッセージを表示する。
【０１１７】
上述したように、この発明の第４の実施形態によれば、正当性判定部１３９が、デクリプションされた時間データの正当性を判断し、正当でないと判断した場合には、デクリプションされた画像データおよびオーディオデータの出力を抑制するため、データのエンクリプションに用いたディスクキーと異なるキーにより、記録データがデクリプトされた場合にも、ディスク再生装置１３０から外部機器に不本意な画像データおよびノイズを出力することを防止することができる。また、デクリプト部１３４がデクリプト処理を誤った場合にも、ディスク再生装置１３０から外部機器に不本意なノイズ出力を出力することを防止することができる。したがって、不本意な画像データ出力およびノイズ出力によりディスク再生装置１３０の品位および品質を損なうことがなくなるため、ユーザは安心してディスク再生装置１３０を使用することができる。
【０１１８】
以上、この発明の実施形態について具体的に説明したが、この発明は、上述の実施形態に限定されるものではなく、この発明の技術的思想に基づく各種の変形が可能である。
【０１１９】
上述した第１、第２、第３および第４の実施形態においては、スーパーオーディオＣＤ、ＤＶＤvideoなどの光ディスクを再生するディスク再生装置に、この発明を適用する例について示したが、この発明は、これに限られるものではない。すなわち、所定のキーにより暗号化が施されたデータが記録された記録媒体を再生する再生装置であれば、この発明を適用することが可能である。例えば、この発明を、不揮発性記憶媒体を再生する再生装置に適用してもかまわない。
【０１２０】
また、上述した第１、第２および第３の実施形態においては、ピットのエッジより所定距離だけ離間してピット幅を低減することにより、ディスクキーをリードイン部に記録する場合について述べたが、ディスクキーの記録方法はこれに限られるものではない。例えば、図１１（Ａ）に示すように、所定の長さ以上のピットについて、各ピットの中央でピット幅を低減するようにして、ディスクキーをリードイン部に記録するようにしてもかまわない。
【０１２１】
また、上述した第１、第２および第３の実施形態においては、ピット幅を局所的に低減することにより、ディスクキーをリードイン部に記録する場合を示したが、図１１Ｂに示すように、ピット幅を局所的に増大することにより、ディスクキーをリードイン部に記録するようにしてもかまわない。
【０１２２】
さらに、図１１Ｃに示すように、局所的なピット幅の増大と、低減とにより、ディスクキーを３値で記録するようにしてもかまわない。さらには、この増大の程度を、低減の程度を段階的に設定して、３値より多くの多値記録によりディスクキーを記録するようにしてもかまわない。
【０１２３】
さらにまた、図１１Ｄに示すように、チャンネルクロックの１周期より長い時間でピット幅を変化させて、副のデータを記録するようにしてもかまわない。
【０１２４】
また、第４の実施形態においては、ＤＶＤvideoを再生するディスク再生装置に、この発明を適用する例について示したが、ＤＶＤaudioを再生するディスク再生装置に、この発明を適用してもかまわない。
【０１２５】
また、第１、第２および第３の実施形態においては、ヘッダ部に含まれる時間データに基づき、ディスクキーの正当性が判断される例について示したが、サブコードの時間データなど、例えば、Ｑチャンネルの楽章番号、楽章内の経過時間あるいは絶対時間に基づき、ディスクキーの正当性が判断されるようにしてもかまわない。
【０１２６】
【発明の効果】
以上説明したように、この発明によれば、検知手段がデクリプションされたアドレスデータの正当性を判断し、正当でないと判断した場合には、制御手段がデクリプトされたメインデータの出力を禁止するため、メインデータおよびアドレスデータのエンクリプションに用いた鍵情報と異なる鍵情報により、メインデータがデクリプトされた場合にも、再生装置から外部機器などに不本意なデータを出力することを防止することができる。また、鍵情報の有無が誤って判断された場合にも、再生装置から外部機器に不本意なデータを出力することを防止することができる。さらに、解読手段がデータを誤ってデクリプトした場合にも、再生装置から外部機器に不本意なデータを出力することを防止することができる。したがって、不本意なデータ出力により再生装置の品位および品質を損なうことがなくなるため、ユーザは安心して再生装置を使用することができる。
【０１２７】
また、メインデータおよびアドレスデータのデクリプションに用いられた鍵情報が、メインデータおよびアドレスデータのエンクリプションに用いられた鍵情報と同一であるか否かの検証を、鍵情報そのものではなく、エンクリプトされたアドレスデータに基づき行うことができるため、鍵情報の正当性を判断できる再生装置を容易かつ安価に実施可能である。
【図面の簡単な説明】
【図１】この発明の第１の実施形態による光ディスクの記録フォーマットを示す略線図である。
【図２】この発明の第１の実施形態による光ディスクのリードイン部におけるピット形状の一例を示す略線図である。
【図３】この発明の第１の実施形態によるディスク再生装置の構成の一例を示すブロック図である。
【図４】この発明の第１の実施形態によるディスク再生装置のディスク再生処理を説明するためのフローチャートである。
【図５】この発明の第２の実施形態によるディスク再生装置の構成の一例を示すブロック図である。
【図６】この発明の第２の実施形態によるディスク再生装置のディスク再生処理を説明するためのフローチャートである。
【図７】この発明の第３の実施形態によるディスク再生装置の構成の一例を示すブロック図である。
【図８】この発明の第３の実施形態によるディスク再生装置のディスク再生処理を説明するためのフローチャートである。
【図９】この発明の第４の実施形態によるコピー防止システムの構成の一例を示すブロック図である。
【図１０】この発明の第４の実施形態によるディスク再生装置のディスク再生処理を説明するためのフローチャートである。
【図１１】この発明の第１、第２および第３の実施形態による光ディスクのリードイン部におけるピット形状の他の形状例を示す略線図である。
【図１２】従来の再生装置の構成を示すブロック図である。
【図１３】従来のディスク再生装置のディスク再生処理を説明するためのフローチャートである。
【符号の説明】
１・・・ＲＦプロセッサ、２・・・データ復調部、３・・・ディスクキー検出部、４，１３２，１３３，１３４・・・データデクリプト部、５・・・データ処理部、６，１３６・・・Ｄ／Ａ部、７，９，１１，１３７・・・システムコントローラ、８，１０，１２，１３８・・・正当性判定部、１００・・・コピー防止システム、１１０・・・ディスク制作側、１１１，１３１・・・マスターキー発生器、１１２・・・ディスクキー発生器、１１３・・・タイトルキー発生器、１１４・・・データ発生器、１１５・・・ＭＰＥＧエンコーダ、１３５・・・ＭＰＥＧデコーダ、１３８・・・表示部
【図１】
0003678181.tif 000002
【図２】
0003678181.tif 000003
【図３】
0003678181.tif 000004
【図４】
0003678181.tif 000005
【図５】
0003678181.tif 000006
【図６】
0003678181.tif 000007
【図７】
0003678181.tif 000008
【図８】
0003678181.tif 000009
【図９】
0003678181.tif 000010
【図１０】
0003678181.tif 000011
【図１１】
0003678181.tif 000012
【図１２】
0003678181.tif 000013
【図１３】
0003678181.tif 000014